(57)【特許請求の範囲】
【請求項１】
回路基板が内部に配置された筐体と、
前記筐体に取り外し可能に取り付けられるサポートであり、当該サポートの内部にアンテナが固定的に配置されるサポートと
を有し、
前記アンテナは、前記筐体の内部の前記回路基板上の無線周波数給電点に電気的に接続されることができる、
電子製品。
【請求項２】
前記サポートは中空の柱状構造を有し、前記アンテナは柱状構造を有し、
前記アンテナは、前記サポート内に配置されて前記サポートと篏合する、
請求項１に記載の電子製品。
【請求項３】
前記サポート及びその中空部分は円筒構造を有し、前記アンテナは円柱構造を有し、
前記サポートの前記中空部分の直径は、前記アンテナのうち前記サポート内に配置される部分の直径に等しい、
請求項２に記載の電子製品。
【請求項４】
前記サポートの一端は密閉され、前記サポートの他端は開放構造を有し、
前記アンテナは本体部と突起部とを有し、前記突起部の直径は前記本体部の直径より小さく、前記本体部は前記サポート内に位置付けられ、前記本体部の両端が前記サポートの内側と当接し、前記突起部は前記サポートの前記開放構造から突出して前記サポートの外部に位置付けられる、
請求項３に記載の電子製品。
【請求項５】
前記突起部に雄ネジ山が配設され、それに対応して、雌ネジ山を備えたナットが前記筐体の内部に固定的に配設され、
前記突起部が前記ナット内に固定されて前記回路基板上の前記無線周波数給電点に電気的に接続されるとき、前記サポートは前記筐体に当接する、
請求項４に記載の電子製品。
【請求項６】
前記ナットは導電性であり、前記無線周波数給電点側の前記ナットの端面は密閉構造を有し、前記ナットが金属プレートを介して前記無線周波数給電点に接続される、
請求項５に記載の電子製品。
【請求項７】
前記サポートはプラスチック材料からなる、請求項１に記載の電子製品。
【請求項８】
前記サポートは前記筐体のコーナー領域に配置される、請求項７に記載の電子製品。
【発明の詳細な説明】
【技術分野】
【０００１】
本発明は、通信技術に関し、特に電子製品に関する。
【背景技術】
【０００２】
国や地域において経済及び技術が発展するにつれ、日常生活の中の製品もますます電子化・多機能化され、それにより人々の生活における便利さ及び快適さを効果的に向上させることができている。
【０００３】
一例として、デジタルフォトフレームが使用されている。デジタルフォトフレームは、紙の写真ではなくデジタルの写真を表示するフォトフレームである。デジタルフォトフレームは、例えばフォトフレーム筐体、液晶ディスプレイ及び記憶媒体などの部品を含んでいる。電源が接続された後、便利で効率的なものである液晶ディスプレイ上での制御を用いることによって、デジタル写真が記憶媒体にインポートされて表示される。このようなデジタルフォトフレームが具体的に使用されるとき、一般に、取り外し可能な折り畳み式ブラケットがフォトフレーム筐体（液晶ディスプレイとは反対側の面）上に置かれる。このブラケットは、デジタルフォトフレームを十分に支持して固定することができ、それに加えて、デジタルフォトフレームの持ち運びを妨げない。
【０００４】
しかしながら、実用上、デジタルフォトフレームは、多機能化の目的を達成するよう、例えば、ＦＭ（周波数変調）機能やモバイルテレビジョン機能などの機能を備えたデジタルフォトフレームを達成するよう、無線周波数（ＲＦ）アンテナを更に備える必要がある。
その場合、アンテナは電子製品の独立した部品であるので、アンテナを収容するために、電子製品の筐体に更なる構造空間を設ける必要がある。この追加で設けられる構造空間は、電子製品のレイアウト空間を占有するものである。特に、電子製品が複数のアンテナを必要とするとき、レイアウト空間は限られる。結果として、電子製品は十分に美的なものにならず、外観設計品質が劣ったものになる。
【発明の概要】
【発明が解決しようとする課題】
【０００５】
既存の電子製品のアンテナが既存の電子製品の劣った外観設計品質をもたらしているという問題を解決する電子製品を提供する。
【課題を解決するための手段】
【０００６】
第１の態様によれば、電子製品は、回路基板が内部に配置された筐体と、筐体に取り外し可能に取り付けられるサポートであり、当該サポートの内部にアンテナが固定的に配置されるサポートとを含み、アンテナは、筐体の内部の回路基板上の無線周波数給電点に電気的に接続されることができる。
【０００７】
第１の態様の第１の取り得る実装形態において、サポートは中空の柱状構造を有し、アンテナは柱状構造を有し、アンテナは、サポート内に配置されてサポートと篏合する。
【０００８】
上記第１の取り得る実装形態を参照して、第２の取り得る実装形態において、サポート及びその中空部分は円筒構造を有し、前記柱状構造は円柱構造を有し、サポートの中空部分の直径は、アンテナのうちサポート内に配置される部分の直径に等しい。
【０００９】
上記第２の取り得る実装形態を参照して、第３の取り得る実装形態において、サポートの一端は密閉され、サポートの他端は開放構造を有し、アンテナは本体部と突起部とを含み、突起部の直径は本体部の直径より小さく、本体部の両端がサポートの内側と当接し、突起部はサポートの開放構造から突出してサポートの外部に位置付けられる。
【００１０】
上記第３の取り得る実装形態を参照して、第４の取り得る実装形態において、突起部に雄ネジ山が配設され、それに対応して、雌ネジ山を備えたナットが筐体の内部に固定的に配設され、突起部がナット内に固定されて回路基板上の無線周波数給電点に電気的に接続されるとき、サポートは筐体に当接する。
【００１１】
上記第４の取り得る実装形態を参照して、第５の取り得る実装形態において、ナットは導電性であり、無線周波数給電点側のナットの端面は密閉され、ナットが金属プレートを介して無線周波数給電点に接続される。
【００１２】
第１の態様の第６の取り得る実装形態において、サポートはプラスチック材料からなる。
【００１３】
上記第６の取り得る実装形態を参照して、第７の取り得る実装形態において、サポートは筐体のコーナー領域に配置される。
【００１４】
提供される電子製品は筐体を含み、サポートが筐体上に取り外し可能に配置され、案恵那がサポート内に固定的に配置され、故に、電子製品の筐体上にサポートが取り付けられて固定されるとき、アンテナが筐体の内部の回路基板上の無線周波数給電点に電気的に接続されることが可能にされ、それにより、アンテナを収容するために筐体に追加の構造空間を配設することが回避され、アンテナによって占有される空間が効果的に節減され、且つ、電子製品の外観設計品質が向上される。
【図面の簡単な説明】
【００１５】
本発明の実施形態における技術的ソリューションを更に明瞭に説明するため、ここで、実施形態を説明するのに必要な添付図面を簡単に紹介する。明らかなように、以下に記載される添付図面は本発明の一部実施形態を示すものであり、当業者はなおも、創作努力なしで、添付図面からその他の図を得ることができる。
【図１】本発明の一実施形態に従った電子製品を示す模式的な構造図である。
【図２】図１の一部を拡大して示す模式的な構造図である。
【図３】本発明の一実施形態に従ってサポートが支持を提供して横向きに据えられたときの模式図である。
【図４】本発明の一実施形態に従ってサポートが支持を提供して縦向きに据えられたときの模式図である。
【発明を実施するための形態】
【００１６】
以下、添付図面を参照して、本発明の一実施形態に係る電子製品を詳細に説明する。
【００１７】
本発明の一実施形態は電子製品を提供する。電子製品は、図１に示されるように、回路基板１４が置かれた筐体１１と、筐体１１に取り外し可能に取り付けられたサポート（支持体）１２とを含んでいる。サポート１２の内部に固定してアンテナ１３が置かれており、アンテナ１３は、筐体１１の内部の回路基板１４上の無線周波数給電点（フィードポイント）に電気的に接続されることができる。
【００１８】
本発明のこの実施形態で提供される電子製品は筐体を含んでおり、筐体上に取り外し可能にサポートが配置され、サポート内部に固定してアンテナが配置され、それにより、サポートが電子製品の筐体に取り付けられて固定されるときに、アンテナが筐体内部の回路基板上の無線周波数給電点に電気的に接続されることが可能であるようにされている。故に、理解されるように、信号の受信及び／又は送信の機能を達成しながら、アンテナは更に、デザインのために、サポートと一体化されることができる。追加のアンテナレイアウト空間が電子製品の筐体に配設される従来技術と比較して、本発明のこの実施形態における手法は、サポートを合理的に利用することができる。すなわち、サポートを用いて、サポートを達成しながら、アンテナを収容することができ、それにより、アンテナを収容するために筐体に追加の構造空間を配設することが回避され、アンテナによって占有される空間が効果的に節減され、且つ、電子製品の外観設計品質が向上される。
【００１９】
なお、アンテナ１３は、サポート１２内に、取り外し可能に接続されてもよく、その場合、アンテナはサポート１２と一緒に使用されるべきである。アンテナ１３はサポート１２内に多様な手法で接続され得る。例えば、この接続は、締め付け式、ネジ式、又は１つ以上のその他の方式で行われ得る。その場合、アンテナ１３及びサポート１２は別々に使用されてもよく、これは、ユーザが選択を行うのに都合が良い。
【００２０】
具体的な使用において、電子製品の可搬性を妨げないために、サポート及びアンテナが使用される必要がないとき、ユーザは通常、随時に、サポート及びアンテナを電子製品から外して、それらを別々に持ち運ぶことができ、これは高い実用性を特徴付ける。この方式も、この実施形態の説明のための一例として使用されている。
【００２１】
具体的には、図１に示されるように、サポート１２は中空の柱状構造を有することができ、その場合、アンテナ１３は、サポート内１２に配置されてサポート１２ときつく篏合する柱状構造を有し得る。すなわち、サポート１２内でのアンテナ１３の揺れ及びこれに類するものに起因してアンテナ１３の無線周波数性能に影響を及ぼすことがないように、サポート１２の内表面がアンテナ１３の外表面と途切れなく接触する。
【００２２】
電子製品の支持体として、サポート１２は、例えば柱状構造や管状構造など、様々な構造を有し得る。アンテナ１３の構造、サポート１２内でのアンテナの配置、及びアンテナ１３の無線周波数性能と組み合わせて、この実施形態では、具体的には円柱、直方体又はこれらに類するものとし得る中空の柱状構造のサポート１２が採用されている。この場合、アンテナ１３は、柱状構造を用いて、サポート１２内に配置される。具体的には、一例として中空の円柱のサポート１２が使用され、サポート１２の中空部分は円筒構造を有し、そして、対応するアンテナ１３は円柱構造を有する。この場合、アンテナ１３は本体部１３１と突起部１３２とを含むことができ、本体部１３１の直径は突起部１３２の直径より大きく、故に、本体部１３１の両端がそれぞれサポート１２の内側に当接してサポート１２内でのアンテナ１３の固定を達成するとき、突起部１３２はサポート１２の外部に位置することができる。これは、突起部１３２によって、サポート１２及びアンテナ１３の筐体１１との間の接続を達成するのに好都合である。具体的には、図２に示されるように、本体部１３１の一端はサポート１２の内側と当接し、他端は、突起部１３２を備えた踏み台構造を形成し、踏み台表面がサポート１２の内側と当接する。
【００２３】
一方で、アンテナ１３の本体部の直径は、アンテナ１３とサポート１２との間の固定及び組立をより良好に達成するよう、サポート１２の中空部分の直径に等しい。アンテナ１３の本体部１３１の長さも、サポート１２の中空部分の長さとの一致を保つことができるが、固定及び安定性が確保されるという前提についての実際の要求に従って、異なる長さに設定されることもできる（本体部１３１の長さがサポート１２の中空部分の長さより小さくされ得る）。一般に、円柱構造は甘美であり、高い外観設計品質を特徴付ける。故に、中空の円柱状のサポート１２を、この実施形態におけるサポート１２の一例として使用している。
【００２４】
また、中空円柱構造のサポート１２の一端を密閉し、他端は開放構造を有するようにし、円柱状のアンテナ１３（この場合、サポート１２の中空構造は円筒である）がサポート１２内に配置されて固定されるときに、本体部１３１の両端がそれぞれサポート１２の内側に当接するとともに突起部１３２がサポートの外部に位置するようにし得る。アンテナ１３及びサポート１２が固定されて一体化された後に、これらが全体としての電子製品に固定されるとき、アンテナ１３は無線周波数給電点に電気接続することのみに使用されるようにサポート１２が電子製品に固定的に接続されてもよいし、サポート１２は支持機能のみを有するように、アンテナ１３が電子製品に固定的に接続されてもよいし、あるいは、アンテナ１３及びサポート１２の双方が電子製品に固定的に接続されてもよい。アンテナ１３が電子製品内の無線周波数給電点に電気的に接続される必要があることに鑑みると、アンテナ１３を直接的に制御することによって電子製品との固定接続及び電気接続を達成することは、手っ取り早く、信頼でき、且つ合理的である。
【００２５】
なお、実用上、サポート１２の壁部の厚さは、アンテナ１３の無線周波数性能が影響されないという前提に必要なように設定され得る。
【００２６】
図１に示されるように、アンテナ１３の突起部１３２は電子製品の筐体１１内に配置され、故に、突起部１３２の先端は、電子製品内の回路基板１４上の無線周波数給電点に直接的に電気接続され得る。これに鑑み、理解されるように、突起部１３２は電子製品の筐体１１に締め付け式又は１つ以上のその他の方式で接続されることができ、この実施形態において、比較的安定な方式も固定及び電気接続を達成するために使用され得る。すなわち、図１及び図２に示されるように、突起部１３２に雄ネジ山を設けることができ、それに対応して、雌ネジ山を備えた導電性ナット１５が電子製品の筐体１１に固定的に配設される。故に、突起部１３２の雄ネジ山と導電性ナット１５の雌ネジ山との篏合によって、アンテナ１３と電子製品との固定及び接続、並びにサポート１２の固定を達成することができる。具体的な組立において、筐体１１は穴を備えたボス（接続用突出部）１１１を有することができ、それにより、突起部１３２がこの穴を通って、組込み導電性ナット１５と篏合して接続するとともに、サポート１２が上記ボス１１１と当接する。加えて、ボス１１１の穴の部分は座ぐり構造の貫通穴とすることができ、サポート１２の接触表面に隆起部を配置して、サポート１２がボスと当接するときに隆起部が座ぐり構造と合致することを可能にすることによって、組立安定性が更に向上される。
【００２７】
この場合、突起部１３２は、ナット１５を通り抜けて、突起部１３２の先端が無線周波数給電点に電気接続されることを可能にする。無線周波数給電点側のナット１５の端面が密閉され、この端面が金属プレート１６を介して回路基板１４上の無線周波数給電点に接続されるものである図１及び図２に示した方式が採用されてもよい。金属プレート１６及びナット１５は、１つにまとめられてもよいし、溶接によって互いに固定的に接続されてもよい。金属プレート１６はナット１５と無線周波数給電点との間の良好な導通を確保することができ、それにより、不確かな接触が起こることが回避される。
【００２８】
なお、サポート１２がボス１１１と当接するとは、サポート１２の表面とボス１１１の表面とが互いに適合し、それにより、製品インテグリティ設計が確保されるとともに、突起部１３２の長過ぎて固定後の露出部分の発生や例えば電磁干渉などの問題を生じさせることが回避されることを意味する。これに鑑み、理解されるように、アンテナ１３がサポート１２内に固定されるとき、サポート１２はアンテナ１３を完全に包み隠し、それにより、アンテナ１３上での電磁波伝播を防止し、干渉防止機能を達成することができる。
【００２９】
なお、図１及び図２中の同じ部分は同じ参照符号を有している。
【００３０】
以上の実施形態に記載された電子製品において、サポート１２の材料はプラスチックとし得る。プラスチック材料の支持体は、低いコストと高い実用性とを有するとともに、アンテナの無線周波数性能に対する低い干渉性を有する。１つ以上のその他の材料又は金属材料も使用され得る。金属材料が使用されるとき、サポート１２及びアンテナ１３が全体として使用され得る。すなわち、サポート１２は、支持及び固定の機能を果たすのと同時に、アンテナ１３の一部としても使用され得る。
【００３１】
実使用においては、例えば風景表示及びポートレート表示といった、様々な電子製品の異なるスクリーン表示様式によって、必要とされる固定及び支持の方式が異なる。故に、縦向き及び横向きという２つの向きでの固定が１つのサポート１２によって達成されるとき、サポート１２は電子製品の筐体のコーナー領域に配置され得る。具体的には、図３及び図４に示されるように、電子製品の筐体（表示スクリーンとは反対側の筐体面）の４つのコーナーのうちの１つにサポート１２が配置され、具体的な位置は、風景表示及びポートレート表示のときの表示方向に依存する。故に、２つの向きで電子製品の支持及び固定を達成することが、１つのサポート１２を用いて実現され得る。
【００３２】
本発明の説明において、理解されるべきことには、“中央”、“上方”、“下方”、“前”、“後”、“左”、“右”、“縦”、“横”、“頂部”、“底部”、“内側”、“外側”及びこれらに類する用語によって指し示される向き又は位置関係は、添付図面によって示される向き又は位置関係に基づくものである。これらの用語は、本発明を説明すること及び説明を単純化することのためだけに使用されており、指し示された装置又は部品が指定の向きを有しなければならなかったり、指定の向きで構築・動作されなければならなかったりすることを指示あるいは暗示するものではない。故に、これらは、本発明への限定として理解されてはならない。
【００３３】
本発明の説明において、言及しておくべきことには、“取付”、“結合”及び“接続”なる用語は、具体的な規定や限定が存在しない限り、広い意味で理解されるべきである。例えば、“接続”は、固定された接続、取り外し可能な接続、又は一体化された接続とすることができ、機械的な接続、又は電気的な接続とすることができ、また、直接的な接続、中間媒体を介した間接的な接続、又は２つの部品の内部での接続とすることができる。当業者は、本発明におけるこれらの用語の具体的な意味を、具体的な状況に従って理解することができる。
【００３４】
本明細書の記載において、実施形態又は例のうちの１つ以上にて、特定の複数の機構、構造、材料、又は特徴が適切に組み合わされ得る。
【００３５】
以上の説明は、単に本発明の特定の実装形態であり、本発明の保護範囲を限定することを意図したものではない。本明細書に開示された技術的範囲内で当業者によって容易に考え付かれる如何なる変形又は置換も、本発明の保護範囲に含まれるべきものである。故に、本発明の保護範囲は請求項の保護範囲に従うべきである。
【符号の説明】
【００３６】
１１    筐体
１１１  ボス
１２    サポート（支持体）
１３    アンテナ
１３１  本体部
１３２  突起部
１４    回路基板
１５    ナット
１６    金属プレート
【図１】
0005914603.tif 000002
【図３】
0005914603.tif 000003
【図４】
0005914603.tif 000004
【図２】
0005914603.tif 000005